(57)【特許請求の範囲】
【請求項１】
測定対象部の間隔を、一対の測定子により測定する間隔測定装置の校正ゲージであって、持ち運びが可能に構成されると共に、基準となる幅寸法に設定された基準幅設定部を備え、その基準幅設定部に前記一対の測定子を挿入した状態で前記間隔測定装置に着脱可能に装着されることを特徴とする間隔測定装置の校正ゲージ。
【請求項２】
前記間隔測定装置は、前記測定対象部のベース面に宛がわれる基準アームを有していて、前記間隔測定装置への装着状態で、前記基準アームを上下両方向及び前方の３方向から覆う状態でその基準アームに嵌合する嵌合凹部を備えたことを特徴とする請求項１記載の間隔測定装置の校正ゲージ。
【請求項３】
前記間隔測定装置への装着状態で、前記間隔測定装置における前記一対の測定子の少なくとも一方に係止する係止部を備えたことを特徴とする請求項１または２記載の間隔測定装置の校正ゲージ。
【請求項４】
前記基準アームに嵌合する嵌合凹部付近に重心が設定されていることを特徴とする請求項２記載の間隔測定装置の校正ゲージ。
【発明の詳細な説明】
【技術分野】
【０００１】
本発明は、間隔測定装置における測定子間の間隔を校正するための校正ゲージに関する。
【背景技術】
【０００２】
従来より、測定対象部の間隔を測定する間隔測定装置としては、例えば、パチンコ遊技機の盤面に設けられ、隣り合った２本の釘間の間隔を測定する遊技機用釘測定装置があり、この遊技機用釘測定装置は、固定測定子及び可動測定子を有し、可動測定子は、固定測定子に対して近接・離間する方向に移動可能に構成されている。遊技店においては、この遊技機用釘測定装置を用いて、固定測定子及び可動測定子を盤面の隣り合った２本の釘間に内側から当接させることにより、釘間隔を測定し、パチンコ遊技機の釘調整を行っている。この遊技機用釘測定装置により、釘間隔が基準値（例えば１０ｍｍ）に対してどれくらいの偏りがあるかが測定され、その測定値を釘値としている。
【０００３】
さて、パチンコ遊技機の盤面に設けられた釘間の間隔（特には、所謂「命釘（始動入賞口上方部に設けられた２本の釘間の間隔）」）の調整度合いは、出玉率に直接影響するため、運用レベルとしては１００分の１ｍｍ単位まで把握する必要がある。しかし、前記遊技機用釘測定装置のそれぞれの測定子間の間隔を１００分の１ｍｍ単位の精度で常に一定に保っておくことは難しいため、所定期間毎に校正ゲージ（或いは溝等）を使用して前記測定子間の間隔を基準値に設定し直す必要がある。この測定子間の間隔を基準値に設定する方法は、基準値に設定された校正ゲージの溝に固定測定子及び可動測定子を当接させ、このような状態を基準値（溝幅）として設定する（例えば特許文献１参照）。
【特許文献１】特開平７−１６７６０２号公報（［００１７］，図６）
【発明の開示】
【発明が解決しようとする課題】
【０００４】
従来より、一般的な校正ゲージは、壁や土台に固定されている。そのため、遊技機用釘測定装置に設けられた水準器にて遊技機用釘測定装置の縦方向及び横方向の水平状態を設定し、さらに、遊技機用釘測定装置が校正ゲージに対して傾いてないかを確認してから、使用者は、前記測定子間の間隔を基準値に設定していた。
しかしながら、このように測定子間の間隔を基準値に設定する方法は、確認する項目が多いと共に、それぞれの項目が細かい作業になるため手の震えを防止することができない。このため、閉店時（とりわけ深夜）に遊技機用釘測定装置を使用するすべての使用者が、すべての項目を正確に確認することは難しく、使用者によって、基準値が区々になるといった問題があった。
【０００５】
本発明は上記事情に鑑みてなされたもので、その目的は、間隔測定装置の測定子間の間隔を基準値に校正する際に、使用者が必要最小限の確認を行なうだけで、誰でも同じ基準値へと校正できる間隔測定装置の校正ゲージを提供することにある。
【課題を解決するための手段】
【０００６】
請求項１記載の発明は、測定対象部の間隔を、一対の測定子により測定する間隔測定装置の校正ゲージであって、持ち運びが可能に構成されると共に、基準となる幅寸法に設定された基準幅設定部を備え、その基準幅設定部に前記一対の測定子を挿入した状態で前記間隔測定装置に着脱可能に装着されることを特徴とする。
【０００７】
請求項２記載の発明は、前記間隔測定装置は、前記測定対象部のベース面に宛がわれる基準アームを有していて、前記間隔測定装置への装着状態で、前記基準アームを上下両方向及び前方の３方向から覆う状態でその基準アームに嵌合する嵌合凹部を備えたことを特徴とする。
【０００８】
請求項３記載の発明は、前記間隔測定装置への装着状態で、前記間隔測定装置における前記一対の測定子の少なくとも一方に係止する係止部を備えたことを特徴とする。
請求項４記載の発明は、前記基準アームに嵌合する嵌合凹部付近に重心が設定されていることを特徴とする。
【発明の効果】
【０００９】
請求項１記載の発明によれば、校正ゲージが間隔測定装置に装着された状態で、間隔測定装置の基準値の設定が可能となるので、校正ゲージが間隔測定装置に正しく装着されたか否かのみを確認するだけでよく、手の震え等を気にすることなく、誰でも同じ基準値へ校正することが可能となる。
【００１０】
請求項２及び３記載の発明によれば、校正ゲージの間隔測定装置への装着状態を安定させることができる。
請求項４記載の発明によれば、前記間隔測定装置への装着状態において、基準アームが嵌合される嵌合凹部付近にて、装着状態を安定させることができる。
【発明を実施するための最良の形態】
【００１１】
以下本発明の一実施例につき図面を参照して説明する。
図７は、間隔測定装置１００の斜視図を示しており、この図７において、間隔測定装置１００の本体１は、片手で持ち運ぶことが可能な大きさに設定されている。この本体１には、図７における左側にカバーで覆われた機構部収納部２が設けられ、右側にゴムにより覆われた把持部３が設けられている。
前記機構部収納部２には、図８及び図９にも示すように、それぞれ金属製の基準アーム４と、一対の測定子５，６とが前方へ突出するように設けられている。このうち基準アーム４は、前方へ向けて突出する突出部４ａと、この突出部４ａの先端部に上方へ向けられ且つその突出部４ａと直交する方向に延びる当て部４ｂとを一体に有していて、前記機構部収納部２に固定状態に設けられている。前記当て部４ｂのほぼ中央部には、半球状をなす突起部７が設けられている。
【００１２】
また、前記一対の測定子５，６のうち、一方の測定子５は、前方へ突出して基準アーム４の突出部４ａに上方から重なるように設けられた突出部５ａと、この突出部５ａの先端部に上方へ向けて折曲された測定部５ｂとを一体に有していて、機構部収納部２に固定状態に設けられている。測定子５の機構部収納部２からの突出量は、基準アーム４より短く設定されていて、従って、測定部５ｂは当て部４ｂよりも機構部収納部２側に配置されている。
他方の測定子６は、一方の測定子５の横に配置されて前方へ向けて突出する突出部６ａと、この突出部６ａの先端部に上方に向けて折曲された測定部６ｂとを一体に有していて、前記一方の測定子５に対して近接及び離間する方向に移動可能に設けられている。前記測定部６ｂは、当て部４ｂよりも機構部収納部２側で且つ測定部５ｂの略真横になるように位置されている。
【００１３】
前記機構部収納部２の下部の把持部３側には、操作レバー８が設けられている。この操作レバー８は、機構部収納部２内部にて測定子６と連結されると共に弾性体として例えばばねにより把持部３から遠ざかる方向に付勢されており、操作レバー８が押圧操作されることにより、測定子６が測定子５に近接し、押圧が解除されることにより、測定子６が測定子５から離間する。
【００１４】
また、機構部収納部２には、本体１の地面に対する水平状態を設定するための水準器９が設けられると共に、測定子５，６間の間隔をデジタル表示するデジタルメータ１０が設けられている。このデジタルメータ１０には、電源スイッチ１０ａと、ゼロスイッチ１０ｂが設けられている。尚、このデジタルメータ１０は、電源がオンされている状態においては、現在の測定子５，６の測定部５ｂ，６ｂ間の間隔をデジタル表示している。
【００１５】
続いて、校正ゲージについて図１ないし図３を参照して説明する。
図１は、校正ゲージの後方から見た全体の斜視図を示している。校正ゲージ１３は、上方から見てコ字状に形成された金属板製のベース板１４を有し、このベース板１４は、左右の矩形状の基準板取付部１４ａ，１４ａと、これら両基準板取付部１４ａ，１４ａ間に設けられた連結部１４ｂとで構成されている。これら基準板取付部１４ａ，１４ａの上面部には、金属により矩形状に形成された基準板１５，１５が配置され、この基準板１５，１５は、ベース板１４の裏面からボルト１６により固定されている。ここで、２枚の基準板１５は基準幅設定部を構成するもので、これら基準板１５，１５間の間隔は、基準となる幅寸法例えば基準値として１０ｍｍに設定されており、この幅寸法Ａ（図２参照）が基準幅設定部となる。この基準幅設定部の間隔は、ボルト１６を緩めることにより微調整することが可能に構成されている。尚、基準幅設定が完了したら、基準板１５及び基準板取付部１４ａに形成した孔２０に樹脂を注入して硬化させることにより、基準板１５の位置を固定する。この基準値とは、基準幅設定部により設定された寸法をゼロ（基準）点として、そのゼロ点に対して測定対象の２本の釘間がどれだけ偏差しているかを数値化するために用いられる目安である。
【００１６】
ベース板１４の連結部１４ｂの上面部には、金属により折曲げ形成された嵌合部材１７がネジ１８により固定されている。この嵌合部材１７は、ベース板１４の連結部１４ｂの上面部に配置される基本部１７ａと、この基本部１７ａの前端部から上方へ垂直に折曲げられた垂直保持部１７ｂ、この垂直保持部１７ｂから更に前方に向けて垂直に折曲げられ、基本部１７ａと平行且つ上面視Ｌ字形の上面保持部１７ｃと、この上面保持部１７ｃの前端部が下方へ垂直に折曲げられ、基準幅設定部の一部の部位に突出した係止部１７ｄとを有する構成となっていて、係止部１７ｄの先端部の下端部には、下方へ突出する係止凸部１７ｅが形成されている。さらに、基本部１７ａから垂直保持部１７ｂにかけて折曲げられる部位であり、基準幅設定部に臨む部位には、孔１７ｆが形成されている。この場合、基準板１５，１５の上面部と、垂直保持部１７ｂと、上面保持部１７ｃとにより、基準アーム４に嵌合する嵌合凹部１９が構成されている。
【００１７】
次に、本実施例の作用・効果について説明する。
まず、間隔測定装置１００を使用する場合、使用者は、片手で把持部３を握り、例えば人差指或いは中指で操作レバー８を操作することになる。使用者が操作レバー８を操作していない非測定状態では、操作レバー８は把持部３から遠ざかる側に位置され、図８に示すように、それぞれの測定子５，６が離間した側に位置されている。
【００１８】
次に、パチンコ遊技機の２本の釘間の間隔を測定する場合を図１０及び図１１を参照しながら説明する。
使用者は、例えば人差指或いは中指で操作レバー８を把持部３側に押圧操作することにより、測定子５，６を近接させる。使用者は、この状態で、基準アーム４の当て部４ｂをパチンコ遊技機に設けられた命釘間（所謂始動入賞口の上部に位置する２本の釘１１，１１）周辺の盤面（ベース面に相当）１２に宛がうと共に当て部４ｂの左右両端部の下縁部が釘１１，１１の上部に接するように宛がう。そして、使用者は、操作レバー８の押圧を解除して、それぞれの釘１１，１１間の内側に測定子５，６の測定部５ｂ，６ｂを接触させると共に本体１を水準器９により水平状態になるように設定する。さらに、使用者は、基準アーム４の当て部４ｂの両端が盤面１２から離間し、突起部７のみが盤面１２に当接している状態とし、デジタルメータ１０に表示されている測定値を確認する。尚、基準アーム４は、測定子５，６の測定部５ｂ，６ｂに対して所定の長さ突出して設けられているので、盤面１２から測定子５，６の測定部５ｂ，６ｂが常に一定の距離になるように保持され、釘１１，１１間の所望位置の間隔を測定することができる。
【００１９】
上述するように、使用者は、測定対象部として例えばパチンコ遊技機の２本の釘間の間隔を繰り返し測定していく。このような繰り返し測定が行なわれる条件下において、間隔測定装置１００の測定子５，６間の間隔を設定された基準値に常に一定値に保っておくことは困難である。一方、特に所謂「命釘」の釘間隔の調整度合いは出玉率に直接影響するため、運用レベルとしては、１００分の１ｍｍ単位まで把握しておく必要がある。
【００２０】
そこで、使用者は、所定期間毎に間隔測定装置１００の測定子５，６の測定部５ｂ，６ｂ間の間隔を基準値として１０ｍｍに設定し直すことにより、常に精度の高い測定を行なえる状態にしておく必要があり、以下のようにして、測定子５，６の測定部５ｂ，６ｂの間隔を基準値として設定する。
【００２１】
使用者は、デジタルメータ１０の電源スイッチ１０ａを押圧することにより、デジタルメータ１０の電源をオンさせる。そして、使用者は、間隔測定装置１００の把持部３を片手で持ち、例えば人差指或いは中指で操作レバー８を把持部３側に押圧操作することにより、測定子５，６を近接させる。この状態で、使用者は、図４に示すように、測定子５，６の測定部５ｂ，６ｂを、校正ゲージ１３の基準板１５，１５間である基準幅設定部に斜め上方から挿入する。このとき、一方の測定子５の突出部５ａは、係止部１７ｄの下方に位置させる。
【００２２】
続いて、使用者は、操作レバー８の押圧を解除して、測定子５，６を離間させて基準板１５，１５の内面に当接させると共に、基準アーム４の当て部４ｂの前面を垂直保持部１７ｂの内面に当接させる（図５及び図６参照）。このとき、当て部４ｂの突起部７を垂直保持部１７ｂの孔１７ｆに挿入する。そして、使用者は、基準アーム４が斜め上方を向くように間隔測定装置１００を持ち、操作レバー８を押圧したり、解除したり操作する。これにより、校正ゲージ１３の嵌合凹部１９が基準アーム４の当て部４ｂに嵌合すると共に、係止部１７ｄが一方の測定子５の突出部５ａに係止した状態となり、校正ゲージ１３が間隔測定装置１００に正しく装着された状態になる。
【００２３】
そして、使用者は、校正ゲージ１３が間隔測定装置１００に正しく装着されていることを確認した後、デジタルメータ１０に設けられたゼロスイッチ１０ｂを押圧操作することにより、測定子５，６の測定部５ｂ，６ｂの間隔が基準値（１０ｍｍ）に設定される。
【００２４】
このようにして、使用者は、校正ゲージ１３が間隔測定装置１００に装着された状態にて、間隔測定装置１００の測定子５，６の測定部５ｂ，６ｂの間隔を基準となる幅寸法（基準値）に設定することが可能となるので、校正ゲージ１３が間隔測定装置１００に正しく取り付けられたか否かを確認するだけの作業で済み、手の震え等を気にすることなく、誰でも同じ基準値に校正することができる。
【００２５】
この場合、間隔測定装置１００の基準アーム４は、上方が上面保持部１７ｃ、下方が基準板１５，１５、前方が垂直保持部１７ｂにより覆われた嵌合凹部１９に嵌合されて保持されることにより、校正ゲージ１３の間隔測定装置１００への装着状態を安定させることができる。
また、間隔測定装置１００の一方の測定子５の突出部５ａは、係止部１７ｄに形成された係止凸部１７ｅにより係止されて、校正ゲージ１３の間隔測定装置１００への装着状態を一層安定させることができる。
【００２６】
（その他の実施例）
本発明は上記実施例にのみ限定されるものではなく、以下のように変形または拡張することができる。
上記実施例において、一方の測定子５の突出部５ａに係止する係止部１７ｄを設ける構成としたが、係止部１７ｄを必ずしも設ける必要はなく、その場合、嵌合部材１７の基本部１７ａ付近、或いは基本部１７ａ付近より前方側の質量を増加させることにより、嵌合凹部１９付近に校正ゲージ１３の重心が位置するように設定する。これにより、係止部１７ｄを測定子５に係止させなくとも、校正ゲージ１３が間隔測定装置１００に装着された状態で、校正ゲージを基準アーム４が嵌合された嵌合凹部１９付近にてバランスよく安定して装着させることができる。係止部１７ｄをなくすことにより、間隔測定装置１００に対する校正ゲージ１３の装着が行い易くなる。
【００２７】
上記実施例において、ベース板１４の上面に基準板１５，１５をボルトにて取り付け、微調整可能に構成したが、予め基準幅設定部（基準値）になるように設定された状態で固定されていてもよい。
【００２８】
上記実施例において、嵌合凹部１９の一部を磁石としたり、嵌合凹部１９付近に磁石を設けたり（着磁した金属製の場合も含む）することにより、嵌合凹部１９付近に磁力を付与すれば、金属製の基準アーム４が磁力により引き寄せられるので、校正ゲージ１３の装着状態を更に安定させることができる。
【図面の簡単な説明】
【００２９】
【図１】本発明の一実施例を示す校正ゲージの斜視図
【図２】校正ゲージと間隔測定装置の一部の上面図
【図３】校正ゲージと間隔測定装置の一部の左側面図
【図４】校正ゲージの装着前を示す要部の斜視図
【図５】校正ゲージの装着状態を示す要部の斜視図
【図６】校正ゲージの装着状態での要部の縦断側面図
【図７】間隔測定装置の斜視図
【図８】同装置の上面図
【図９】同装置の左側面図
【図１０】同装置の測定状態を示す上面図
【図１１】同装置の測定状態を示す側面図
【符号の説明】
【００３０】
図面中、１は本体、３は把持部、４は基準アーム、４ｂは当て部、５，６は測定子、５ｂ，６ｂは測定部、７は突起部、８は操作レバー、９は水準器、１０はデジタルメータ、１０ａは電源スイッチ、１０ｂはゼロスイッチ、１１は釘（測定対象部）、１２は盤面（ベース面）、１３は校正ゲージ、１４はベース板、１４ａは基準板取付部、１４ｂは連結部、１５は基準板（基準幅設定部）、１６はボルト、１７は嵌合部材、１７ａは基本部、１７ｂは垂直保持部、１７ｃは上面保持部、１７ｄは係止部、１７ｅは係止凸部、１７ｆは孔、１８はネジ、１９は嵌合凹部、１００は間隔測定装置を示す。
【要約】
【課題】  間隔測定装置の測定子間の間隔を基準値に校正する際に、使用者が必要最小限の確認を行なうだけで、誰でも同じ基準値へと校正できる間隔測定装置の校正ゲージを提供する。
【解決手段】  間隔測定装置の測定子５，６間の間隔を基準値に校正する際に、校正ゲージ１３を間隔測定装置に装着して行なう。具体的には、間隔測定装置における測定子５，６の測定部５ｂ、６ｂを校正ゲージ１３の基準幅設定部となる基準板１５，１５間に挿入すると共に、校正ゲージ１３の嵌合凹部１９を間隔測定装置における基準アーム４の当て部４ｂに嵌合させ、また、校正ゲージ１３における係止部１７ｄの係止凸部１７ｅを一方の測定子５の突出部５ａに係止させる。使用者は、校正ゲージ１３が間隔測定装置に正しく装着されていることを確認した後、間隔測定装置の測定子５，６の測定部５ｂ，６ｂ間の間隔を基準値に設定する。
【選択図】  図５
【図１】
0003683905.tif 000002
【図２】
0003683905.tif 000003
【図３】
0003683905.tif 000004
【図４】
0003683905.tif 000005
【図５】
0003683905.tif 000006
【図６】
0003683905.tif 000007
【図７】
0003683905.tif 000008
【図８】
0003683905.tif 000009
【図９】
0003683905.tif 000010
【図１０】
0003683905.tif 000011
【図１１】
0003683905.tif 000012